(57)【要約】【課題】奇数日にはナンバープレートが奇数の自動車、偶数日にはナンバープレートが偶数の自動車しか通行してはいけないという交通規制に対応するための技術を提供する。【解決手段】車両用ナビゲーション装置は、複数の道路のそれぞれについて、当該道路に対してナンバープレート規制があるか否かを判定し（ステップ２３０）、その肯定的判定に基づいて、ナンバーの偶奇と現在の日付の偶奇が一致しているか否かを判定し（ステップ２４０）、その否定的判定に基づいて、当該車両による当該道路の走行を回避させるための処理として、当該道路を目的地までの案内経路に含めることを禁止する（ステップ２５０）。【選択図】図４
2009281960.tif 000002
【特許請求の範囲】
【請求項１】
車両に搭載されるナンバープレート規制対応装置であって、
前記車両のナンバープレートのナンバーの情報を取得する取得手段（１００）と、
ある道路に対して、ナンバープレート規制があるか否かを判定する第１判定手段（２３０、３２０）と、
前記第１判定手段（２３０、３２０）の肯定的判定に基づいて、前記取得手段（１００）によって取得された前記ナンバーの情報に基づいて、前記ナンバーの偶奇と、現在の日付の偶奇が一致しているか否かを判定する第２判定手段（２４０、３３０）と、
前記第２判定手段（２４０、３３０）の否定的判定に基づいて、前記車両による前記道路の走行を回避させるための処理を行う回避処理手段（２５０、３４０）と、を備えたナンバープレート規制対応装置。
【請求項２】
車両に搭載されるナンバープレート規制対応装置であって、
前記車両のナンバープレートのナンバーの情報を取得する取得手段（１００）と、
ある道路に対して、ナンバープレート規制があるか否かを判定する第１判定手段（４３０、５２０）と、
前記第１判定手段（４３０、５２０）の肯定的判定に基づいて、前記取得手段（１００）によって取得された前記ナンバーの情報に基づいて、前記ナンバーが、現在の曜日において前記道路の走行が許可されている対象のナンバーであるか否かを判定する第２判定手段（４４０、５３０）と、
前記第２判定手段（４４０、５３０）の否定的判定に基づいて、前記車両による前記道路の走行を回避させるための処理を行う回避処理手段（４５０、５４０）と、を備えたナンバープレート規制対応装置。
【請求項３】
前記回避処理手段（２５０）は、前記車両による前記道路の走行を回避させるための処理として、前記道路を目的地までの案内経路に含めることを禁止することを特徴とする請求項１または２に記載のナンバープレート規制対応装置。
【請求項４】
前記回避処理手段（３２０）は、前記車両による前記道路の走行を回避させるための処理として、前記車両が前記道路にいることに基づいて前記車両のドライバに警告することを特徴とする請求項１ないし３のいずれか１つに記載のナンバープレート規制対応装置。
【請求項５】
車両に搭載されるナンバープレート規制対応装置に用いるプログラムであって、
前記車両のナンバープレートのナンバーの情報を取得する取得手段（１００）、
ある道路に対して、ナンバープレート規制があるか否かを判定する第１判定手段（２３０、３２０）、
前記第１判定手段（２３０、３２０）の肯定的判定に基づいて、前記取得手段（１００）によって取得された前記ナンバーの情報に基づいて、前記ナンバーの偶奇と、現在の日付の偶奇が一致しているか否かを判定する第２判定手段（２４０、３３０）、
前記第２判定手段（２４０、３３０）の否定的判定に基づいて、前記車両による前記道路の走行を回避させるための処理を行う回避処理手段（２５０、３４０）として、コンピュータを機能させるプログラム。
【請求項６】
車両に搭載されるナンバープレート規制対応装置に用いるプログラムであって、
前記車両のナンバープレートのナンバーの情報を取得する取得手段（１００）、
ある道路に対して、ナンバープレート規制があるか否かを判定する第１判定手段（４３０、５２０）、
前記第１判定手段（４３０、５２０）の肯定的判定に基づいて、前記取得手段（１００）によって取得された前記ナンバーの情報に基づいて、前記ナンバーが、現在の曜日において前記道路の走行が許可されている対象のナンバーであるか否かを判定する第２判定手段（４４０、５３０）、および
前記第２判定手段（４４０、５３０）の否定的判定に基づいて、前記車両による前記道路の走行を回避させるための処理を行う回避処理手段（４５０、５４０）として、コンピュータを機能させるプログラム。
【発明の詳細な説明】
【技術分野】
【０００１】
本発明は、ナンバープレート規制対応装置およびナンバープレート規制対応装置用のプログラムに関するものである。
【背景技術】
【０００２】
従来、ハイブリッド車両等の低公害車しか通行を許可しない、特定の電子ナンバープレート情報を有する車両しか通行を許可しない、といった道路の走行規制に対応した処理を行う車載装置が知られている（例えば、特許文献１参照）。
【特許文献１】特開２００６−１６４１９６号公報
【発明の開示】
【発明が解決しようとする課題】
【０００３】
しかし、走行規制としては、奇数日にはナンバープレートが奇数の自動車、偶数日にはナンバープレートが偶数の自動車しか通行してはいけないというものも考えられる。
【０００４】
本発明は上記点に鑑み、奇数日にはナンバープレートが奇数の自動車、偶数日にはナンバープレートが偶数の自動車しか通行してはいけないという交通規制に対応するための技術を提供することを第１の目的とする。
【０００５】
また、走行規制としては、曜日によって走行を許可するナンバープレートを変えるものも考えられる。
【０００６】
本発明は上記点に鑑み、曜日によって走行を許可するナンバープレートを変えるという交通規制に対応するための技術を提供することを第２の目的とする。
【課題を解決するための手段】
【０００７】
上記第１の目的を達成するための請求項１に記載の発明は、車両に搭載されるナンバープレート規制対応装置が、当該車両のナンバープレートのナンバーの情報を取得し、また、ある道路に対してナンバープレート規制があるか否かを判定し、その肯定的判定に基づいて、当該ナンバーの情報に基づいて、ナンバーの偶奇と現在の日付の偶奇が一致しているか否かを判定し、その否定的判定に基づいて、当該車両による当該道路の走行を回避させるための処理を行う。
【０００８】
このようになっていることで、ナンバープレート規制対応装置は、自車両のナンバープレートのナンバーと日付とで偶奇が一致しない場合に、ナンバープレート規制の対象となる道路の走行を回避させる。したがって、奇数日にはナンバープレートが奇数の自動車、偶数日にはナンバープレートが偶数の自動車しか通行してはいけないという交通規制に対応することができる。
【０００９】
また、上記第２の目的を達成するための請求項１に記載の発明は、車両に搭載されるナンバープレート規制対応装置が、当該車両のナンバープレートのナンバーの情報を取得し、またある道路に対して、ナンバープレート規制があるか否かを判定するし、その肯定的判定に基づいて、当該ナンバーの情報に基づいて、当該ナンバーが、現在の曜日において当該道路の走行が許可されている対象のナンバーであるか否かを判定し、その否定的判定に基づいて、車両による当該道路の走行を回避させるための処理を行う。
【００１０】
このようになっていることで、ナンバープレート規制対応装置は、自車両のナンバープレートのナンバーと、現在の曜日において許可されているナンバーでない場合に、ナンバープレート規制の対象となる道路の走行を回避させる。したがって、曜日によって走行を許可するナンバープレートを変えるという交通規制に対応することができる。
【００１１】
また、請求項３に記載のように、ナンバープレート規制対応装置は、自車両による当該道路の走行を回避させるための処理として、当該道路を目的地までの案内経路に含めることを禁止するようになっていてもよい。
【００１２】
このようになっていることで、走行してはいけない道路への自車両の進入を前もって回避させることができる。
【００１３】
また、請求項４に記載のように、ナンバープレート規制対応装置は、自車両による当該道路の走行を回避させるための処理として、自車両が当該道路にいることに基づいて自車両のドライバに警告するようになっていてもよい。
【００１４】
このようになっていることで、ナンバープレート規制対応装置は、走行してはいけない道路に自車両がいた場合でも、警告を行うことで、自車両の走行を回避させることができる。
【００１５】
また、請求項５、６に記載のように、請求項１、２に記載の発明の特徴は、プログラムとしても捉えることができる。
【００１６】
なお、特許請求の範囲における括弧内の符号は、特許請求の範囲に記載された用語と後述の実施形態に記載される当該用語を例示する具体物等との対応関係を示すものである。
【発明を実施するための最良の形態】
【００１７】
（第１実施形態）
以下、本発明の第１実施形態について説明する。図１に、本実施形態に係る車両用ナビゲーション装置（ナンバープレート規制対応装置の一例に相当する）１のハードウェア構成を示す。この車両用ナビゲーション装置１は、車両に搭載され、位置検出器１１、画像表示装置１２、操作部１３、スピーカ１４、地図データ取得部１６、および制御回路１７を有している。
【００１８】
位置検出器１１は、いずれも周知の図示しない加速度センサ、地磁気センサ、ジャイロセンサ、車速センサ、およびＧＰＳ受信機等のセンサを有しており、これらセンサの各々の性質に基づいた、車両の現在位置、向き、および速度を特定するための情報を制御回路１７に出力する。
【００１９】
画像表示装置１２は、制御回路１７から出力された映像信号に基づいた映像をユーザに表示する。表示映像としては、例えば現在地を中心とする地図等がある。
【００２０】
操作部１３は、車両用ナビゲーション装置１に設けられた複数のメカニカルスイッチ、画像表示装置１２の表示面に重ねて設けられたタッチパネル等の入力装置から成り、ユーザによるメカニカルスイッチの押下、タッチパネルのタッチに基づいた信号を制御回路１７に出力する。
【００２１】
地図データ取得部１６は、ＨＤＤ等の不揮発性の書き込み可能な記憶媒体およびそれら記憶媒体に対してデータの読み出しおよび書き込みを行う装置から成る。当該記憶媒体は、制御回路１７が実行するプログラム、経路案内用の地図データ等を記憶している。
【００２２】
地図データは、道路データおよび施設データを有している。道路データは、リンクの位置情報、種別情報、ノードの位置情報、種別情報、および、ノードとリンクとの接続関係の情報等を含んでいる。施設データは、施設毎のレコードを複数有しており、各レコードは、対象とする施設の名称情報、所在位置情報、土地地番情報、施設種類情報等を示すデータを有している。
【００２３】
また、地図データは、各道路（１つのリンクを１単位としてもよいし、複数のリンクから成るリンク群を１単位としてもよい。）についての走行規制の情報を含んでいる。図２に、走行規制の情報の一例としての走行規制テーブルを示す。この走行規制テーブルにおいては、各道路について、一方通行規制の情報、時間規制の情報、曜日規制の情報、およびナンバープレート規制の有無の情報を含んでいる。ナンバープレート規制は、奇数日にはナンバープレートが奇数の自動車、偶数日にはナンバープレートが偶数の自動車しか通行してはいけないという規制である。
【００２４】
制御回路（コンピュータに相当する）１７は、ＣＰＵ、ＲＡＭ、ＲＯＭ、Ｉ／Ｏ等を有するマイコンである。ＣＰＵは、ＲＯＭまたは地図データ取得部１６から読み出した車両用ナビゲーション装置１の動作のためのプログラムを実行し、その実行の際にはＲＡＭ、ＲＯＭ、および地図データ取得部１６から情報を読み出し、ＲＡＭおよび（可能であれば）地図データ取得部１６の記憶媒体に対して情報の書き込みを行い、位置検出器１１、画像表示装置１２、操作部１３、およびスピーカ１４と信号の授受を行う。
【００２５】
制御回路１７がプログラムを実行することによって行う具体的な処理としては、現在位置特定処理、地図表示処理、案内経路算出処理、経路案内処理、ナンバー登録処理、規制警告処理等がある。
【００２６】
現在位置特定処理は、位置検出器１１からの信号に基づいて、周知のマップマッチング等の技術を用いて車両の現在位置や向きを特定する処理である。
【００２７】
地図表示処理は、車両の現在位置の周辺等の特定の領域の地図を、画像表示装置１２に表示させる処理である。この際、地図表示のために用いる情報は、地図データから取得する。
【００２８】
案内経路算出処理は、操作部１３からユーザによる目的地の入力を受け付け、現在位置から当該目的地までの最適な案内経路を算出する処理である。
【００２９】
経路案内処理は、案内経路上の右左折交差点等の案内ポイントの手前に自車両が到達したときに、右折、左折等を指示する案内音声をスピーカ１４に出力させ、当該案内ポイントの拡大図を画像表示装置１２に表示させることで、案内経路に沿った車両の運転を案内する処理である。
【００３０】
ナンバー登録処理は、自車両のナンバープレートのナンバーの情報を取得して地図データ取得部１６の記憶媒体に記録する処理である。規制警告処理は、ナンバー登録処理によって記録されたナンバーを用いて、ナンバープレート規制に対する警告の制御を行う処理である。
【００３１】
以下、ナンバー登録処理、案内経路算出処理、および規制警告処理について詳述する。制御回路１７は、新規起動時（例えば、車両用ナビゲーション装置１を車両に搭載して後初めて起動する時）等に、ナンバー登録処理を実行するために、図３に示すプログラム１００の実行を開始し、まずステップ１１０で、ナンバープレート情報の入力を受け付ける。
【００３２】
具体的には、ナンバープレート情報の入力受付画面を画像表示装置１２に表示させることで、ナンバープレートのナンバーが奇数であるか偶数であるか（すなわち偶奇）についての入力をユーザに促す。
【００３３】
ユーザが操作部１３を用いて奇数であるか偶数であるかを入力すると、続いてステップ１２０で、入力された情報を地図データ取得部１６の記憶媒体に記録し、プログラム１００の実行を終了する。なお、ユーザに入力させるのは、ナンバーの偶奇の別でなく、ナンバーの数字そのものであってもよい。ナンバーの偶奇の別を入力させる場合は、ユーザの入力操作が簡易になる。
【００３４】
また、制御回路１７は、案内経路算出処理の実行のために、図４に示すプログラム２００を実行する。このプログラム２００の実行において、制御回路１７は、複数の道路のそれぞれ（１つのリンクを１単位としてもよいし、複数のリンクから成るリンク群を１単位としてもよい。）のそれぞれについて、ステップ２２０〜２５０の処理を順次繰り返し実行してコスト付けを行い、それら複数の道路のすべてについて処理が終わると、コスト付けの結果に基づいてステップ２６０で案内経路を決定する。
【００３５】
ここで、上述の複数の道路（以下、候補道路という）は、自車両の現在位置から目的地までを繋ぐすべての可能な経路中の道路群であってもよいし、自車両の現在位置から目的地までを繋ぐ道路のうちから選び出された道路群であってもよい。
【００３６】
複数の候補道路の１つ１つ（以下、対象道路という）についてのステップ２２０〜２５０の処理においては、まずステップ２２０で、当該対象道路に対して、距離の長さ、幅員等に基づいて周知の方法でコストを付与する。
【００３７】
続いてステップ２３０では、対象道路についてナンバープレート規制があるか否かについて、図２の走行規制テーブルの内容に基づいて判定し、規制がある場合は続いてステップ２４０を実行し、ない場合は対象道路についての処理を終了する。
【００３８】
ステップ２４０では、地図データ取得部１６の記憶媒体に記録されたナンバーの情報と、現在の日付の情報（すなわち、何月何日かの情報）に基づいて、自車両のナンバーの末尾の数字の偶奇と現在の日付の末尾の数字の偶奇とが一致するか否かを判定し、一致すれば、すなわち、自車両が対象道路についての規制対象車両でなければ、対象道路についての処理を終了する。
【００３９】
一致しなければ、すなわち、自車両が対象道路についての規制対象車両であれば、続いてステップ２５０で、対象道路を通行禁止の道路に設定し、対象道路についての処理を終了する。
【００４０】
ステップ２６０では、ステップ２２０で付与された各道路のコストを用いて、コストの最も低い経路を案内経路として特定する。ただし、案内経路の決定においては、ステップ２５０で通行禁止の道路に設定された道路は、案内経路として採用しない。
【００４１】
以上のように、制御回路１７は、複数の道路のそれぞれについて、当該道路に対してナンバープレート規制があるか否かを判定し（ステップ２３０参照）、その肯定的判定に基づいて、ナンバーの偶奇と現在の日付の偶奇が一致しているか否かを判定し（ステップ２４０参照）、その否定的判定に基づいて、当該車両による当該道路の走行を回避させるための処理として、当該道路を目的地までの案内経路に含めることを禁止する（ステップ２５０参照）。
【００４２】
このようになっていることで、車両用ナビゲーション装置１は、自車両のナンバープレートのナンバーと日付とで偶奇が一致しない場合に、ナンバープレート規制の対象となる道路の走行を回避させる。したがって、奇数日にはナンバープレートが奇数の自動車、偶数日にはナンバープレートが偶数の自動車しか通行してはいけないという交通規制に対応することができる。さらに、走行してはいけない道路への自車両の進入を前もって回避させることができる。
【００４３】
なお、ステップ２５０においては、対象道路のコストを通常よりも高くするようになっていてもよい。このようになっていることでも、自車両が対象道路についての規制対象車両である場合は、対象道路が案内経路として採用される可能性が低下するので、結果的に、対象道路を避けることができる経路を案内する可能性が高くなる。
【００４４】
また、制御回路１７は、規制警告処理の実行のために、図５に示すプログラム３００を、エンジンオン後に車両用ナビゲーション装置１が起動する度に実行する。プログラム３００の実行において制御回路１７は、まずステップ３１０で、自車両の現在位置の属する道路を、現在位置特定処理の結果および地図データに基づいて特定する。
【００４５】
続いてステップ３２０では、特定した道路（以下、対象道路という）についてナンバープレート規制があるか否かについて、図２の走行規制テーブルの内容に基づいて判定し、規制がある場合は続いてステップ３３０を実行し、ない場合はプログラム３００の実行を終了する。
【００４６】
ステップ３３０では、地図データ取得部１６の記憶媒体に記録されたナンバーの情報と、現在の日付の情報に基づいて、自車両のナンバーの末尾の数字の偶奇と現在の日付の末尾の数字の偶奇とが一致するか否かを判定し、一致すれば、すなわち、自車両が対象道路についての規制対象車両でなければ、プログラム３００の実行を終了する。
【００４７】
一致しなければ、すなわち、自車両が対象道路についての規制対象車両であれば、続いてステップ３４０で、現在位置は通行禁止である旨の警告画面を画像表示装置１２に表示させると共に、現在位置は通行禁止である旨の警告音声案内をスピーカ１４に出力させる。
【００４８】
以上のように、制御回路１７は、エンジンオン時に、自車両が現在いる道路について、当該道路に対してナンバープレート規制があるか否かを判定し（ステップ３２０参照）、その肯定的判定に基づいて、ナンバーの偶奇と現在の日付の偶奇が一致しているか否かを判定し（ステップ３３０参照）、その否定的判定に基づいて、当該車両による当該道路の走行を回避させるための処理として、自車両のドライバに警告を行う（ステップ３４０参照）。
【００４９】
このようになっていることで、車両用ナビゲーション装置１は、自車両のナンバープレートのナンバーと日付とで偶奇が一致しない場合に、ナンバープレート規制の対象となる道路の走行を回避させる。したがって、奇数日にはナンバープレートが奇数の自動車、偶数日にはナンバープレートが偶数の自動車しか通行してはいけないという交通規制に対応することができる。さらに、車両用ナビゲーション装置１は、走行してはいけない道路に自車両がいた場合でも、警告を行うことで、ドライバが自車両の走行を開始させてしまうことを回避させることができる。
【００５０】
（第２実施形態）
次に、本発明の第２実施形態について説明する。本実施形態が第１実施形態と異なるのは、第１実施形態の車両用ナビゲーション装置１は、奇数日にはナンバープレートが奇数の自動車、偶数日にはナンバープレートが偶数の自動車しか通行してはいけないという交通規制に対応するようになっているのに対し、本実施形態の車両用ナビゲーション装置１は、曜日によって走行を許可するナンバープレートを変えるという交通規制に対応するようになっていることである。
【００５１】
本実施形態の車両用ナビゲーション装置１が第１実施形態の車両用ナビゲーション装置１と構成上異なるのは、地図データ取得部１６中の地図データに含まれる走行規制テーブルの内容のみである。
【００５２】
図６に、本実施形態における走行規制テーブルを例示する。この走行規制テーブルにおいては、各道路について、一方通行規制の情報、時間規制の情報、ナンバープレートのナンバーによらない曜日規制の情報、およびナンバー（より具体的にはナンバーの下一桁）に依存する曜日規制（以下、ナンバープレート曜日規制という）の内容の情報を含んでいる。
【００５３】
ナンバープレート曜日規制の情報は、曜日と、その曜日において走行が許可される車両のプレートナンバーとの対応関係を示す情報である。図６の例においては、道路１は月曜日は末尾が０または１のプレートナンバーの車両のみが通行可能で、火曜日は末尾が２または３の車両のみが通行可能となることを示している。また、道路２は、すべての曜日においてどのような末尾数字を有する車両でも走行可能となっていることを示している。また、道路３は、平日においてはどのような末尾数字を有する車両でも走行可能となっており、土曜日においては末尾が奇数のプレートナンバーの車両のみが通行可能あり、日曜日においては末尾が偶数のプレートナンバーの車両のみが通行可能であることを示している。
【００５４】
本実施形態の車両用ナビゲーション装置１の作動が第１実施形態の車両用ナビゲーション装置１の作動と異なるのは、図３に示したプログラム１００のステップ１１０の内容が異なることと、本実施形態の制御回路１７は、図４に示したプログラム２００に代えて図７に示すプログラム４００を実行することと、図５に示したプログラム３００に代えて図７に示すプログラム６００を実行することのみである。
【００５５】
本実施形態の制御回路１７は、プログラム１００のステップ１１０において、１１０で、ナンバープレート情報の入力を受け付ける。具体的には、ナンバープレート情報の入力受付画面を画像表示装置１２に表示させることで、ナンバープレートのナンバーの末尾数字の入力をユーザに促す。ユーザが操作部１３を用いて末尾数字を入力すると、続いてステップ１２０で、入力された情報を地図データ取得部１６の記憶媒体に記録し、プログラム１００の実行を終了する。
なお、ステップ１１０においては、プレートナンバーの末尾数数字そのものをユーザに入力させるようになっていてもよいし、０から９までの整数を画面に表示させ、それらのうちの１つをユーザに選択させるようになっていてもよい。後者の方が、ユーザの利便性という観点からは有利である。
【００５６】
図７のプログラム４００中のループの条件、ステップ４２０、４５０、４６０の処理内容は、それぞれ図４のプログラム２００中のループの条件、ステップ２２０、２５０、２６０の処理内容と同じであるので、それらの説明については省略する。
【００５７】
制御回路１７は、プログラム４００の実行において、ステップ４２０に続いて、ステップ４３０では、対象道路について曜日によるナンバープレート規制があるか否かについて、図６の走行規制テーブルの内容に基づいて判定し、規制がある場合は続いてステップ４４０を実行し、ない場合は対象道路についての処理を終了する。なお、規制がある場合とは、図６の走行規制テーブル中の対象道路のデータ中に、ナンバープレート曜日規制の情報が含まれているか否かで判定する。
【００５８】
ステップ４４０では、地図データ取得部１６の記憶媒体に記録されたプレートナンバーの末尾数字の情報と、現在の曜日の情報に基づいて、現在の曜日において当該末尾数字を有する車両の走行が許可されているか否かを判定し、許可されていれば、すなわち、現在の曜日において自車両が対象道路についての規制対象車両でなければ、対象道路についての処理を終了する。
【００５９】
許可されていなければ、すなわち、現在の曜日においては自車両が対象道路についての規制対象車両であれば、続いてステップ４５０で、対象道路を通行禁止の道路に設定し、対象道路についての処理を終了する。
【００６０】
以上のように、制御回路１７は、複数の道路のそれぞれについて、当該道路に対してナンバープレート規制があるか否かを判定し（ステップ４３０参照）、その肯定的判定に基づいて、自車両のプレートナンバーの末尾数字が、現在の曜日において当該道路の走行が許可されている対象の末尾数字であるか否かを判定し（ステップ４４０参照）、その否定的判定に基づいて、当該車両による当該道路の走行を回避させるための処理を行う（ステップ４５０参照）。
【００６１】
このようになっていることで、車両用ナビゲーション装置１は、自車両のナンバープレートのナンバーと、現在の曜日において許可されているナンバーでない場合に、ナンバープレート規制の対象となる道路の走行を回避させる。したがって、曜日によって走行を許可するナンバープレートを変えるという交通規制に対応することができる。さらに、走行してはいけない道路への自車両の進入を前もって回避させることができる。
【００６２】
図８のプログラム５００中のステップ５１０、５４０の処理内容は、それぞれ図５のプログラム３００中のステップ３１０、３４０の処理内容と同じであるので、それらの説明については省略する。
【００６３】
制御回路１７は、プログラム５００の実行において、ステップ５１０に続いて、ステップ５２０では、特定した道路（以下、対象道路という）について曜日によるナンバープレート規制があるか否かについて、図７のステップ４３０と同様に、図５の走行規制テーブルの内容に基づいて判定し、規制がある場合は続いてステップ５３０を実行し、ない場合はプログラム５００の実行を終了する。
【００６４】
ステップ５３０では、地図データ取得部１６の記憶媒体に記録されたナンバーの情報と、現在の日付の情報に基づいて、現在の曜日において当該末尾数字を有する車両の走行が許可されているか否かを判定し、許可されていれば、すなわち、現在の曜日において自車両が対象道路についての規制対象車両でなければ、プログラム５００の実行を終了する。
【００６５】
許可されていなければ、すなわち、現在の曜日においては自車両が対象道路についての規制対象車両であれば、続いてステップ５４０で、現在位置は通行禁止である旨の警告画面を画像表示装置１２に表示させると共に、現在位置は通行禁止である旨の警告音声案内をスピーカ１４に出力させる。
【００６６】
以上のように、制御回路１７は、エンジンオン時に、自車両が現在いる道路について、当該道路に対してナンバープレート規制があるか否かを判定し（ステップ５２０参照）、その肯定的判定に基づいて、自車両のプレートナンバーの末尾数字が、現在の曜日において当該道路の走行が許可されている対象の末尾数字であるか否かを判定し（ステップ５４０参照）、その否定的判定に基づいて、当該車両による当該道路の走行を回避させるための処理として、自車両のドライバに警告を行う（ステップ５４０参照）。
【００６７】
このようになっていることで、車両用ナビゲーション装置１は、自車両のナンバープレートのナンバーと、現在の曜日において許可されているナンバーでない場合に、ナンバープレート規制の対象となる道路の走行を回避させる。したがって、曜日によって走行を許可するナンバープレートを変えるという交通規制に対応することができる。さらに、車両用ナビゲーション装置１は、現在の曜日において走行してはいけない道路に自車両がいた場合でも、警告を行うことで、ドライバが自車両の走行を開始させてしまうことを回避させることができる。
【００６８】
（他の実施形態）
以上、本発明の実施形態について説明したが、本発明の範囲は、上記実施形態のみに限定されるものではなく、本発明の各発明特定事項の機能を実現し得る種々の形態を包含するものである。
【００６９】
例えば、上記実施形態においては、制御回路１７は、自車両のナンバープレートのナンバー情報を、ユーザの入力操作によって取得している。しかし、例えば、自車両に電子ナンバープレートが設置されている場合、当該電子ナンバープレートと有線または無線で通信することで、当該電子ナンバープレート中に含まれているナンバー情報を取得するようになっていてもよい。この場合は、ナンバー情報ためにユーザが入力操作を行う必要がなくなる。
【００７０】
また、ナンバープレート情報等の、書き込みが必要なデータは、地図データ取得部１６の記憶媒体に限らず、他の、車両用ナビゲーション装置１の主電源の供給が停止してもデータを保持し続けることができる記憶媒体（例えばフラッシュメモリ、ＥＥＰＲＯＭ、バックアップＲＡＭ）に記憶されるようになっていてもよい。その場合、地図データ取得部１６の記憶媒体は、ＨＤＤ等の書き込み可能な記憶媒体である必要はなく、ＤＶＤ、ＣＤ−ＲＯＭ等の書き込み不可能な記憶媒体であってもよい。
【００７１】
また、上記の実施形態において、制御回路１７がプログラムを実行することで実現している各機能は、それらの機能を有するハードウェア（例えば回路構成をプログラムすることが可能なＦＰＧＡ）を用いて実現するようになっていてもよい。
【図面の簡単な説明】
【００７２】
【図１】本発明の実施形態に係る車両用ナビゲーション装置１の構成図である。
【図２】第１実施形態における走行規制テーブルである。
【図３】制御回路１７が実行するプログラム１００のフローチャートである。
【図４】第１実施形態において制御回路１７が実行するプログラム２００のフローチャートである。
【図５】第１実施形態において制御回路１７が実行するプログラム３００のフローチャートである。
【図６】第２実施形態における走行規制テーブルである。
【図７】第２実施形態において制御回路１７が実行するプログラム４００のフローチャートである。
【図８】第２実施形態において制御回路１７が実行するプログラム５００のフローチャートである。
【符号の説明】
【００７３】
１        車両用ナビゲーション装置
１１      位置検出器
１２      画像表示装置
１３      操作部
１４      スピーカ
１６      地図データ取得部
１７      制御回路
【図１】
2009281960.tif 000003
【図２】
2009281960.tif 000004
【図３】
2009281960.tif 000005
【図４】
2009281960.tif 000006
【図５】
2009281960.tif 000007
【図６】
2009281960.tif 000008
【図７】
2009281960.tif 000009
【図８】
2009281960.tif 000010